(57)【要約】【課題】タッチパネル有する情報端末において、良好な操作性を提供する。【解決手段】情報端末１は、タッチパネルＴを有し、タッチパネルに対する入力操作に関する操作情報を取得する取得部１１と、操作情報における入力位置の移動方向及び移動量を判断する判断部１２と、入力位置の移動方向及び移動量に応じて、タッチパネルＴにおける操作の受付が可能な操作領域を、タッチパネルＴの画面に対して移動させる制御部１３を含み、判断部１２は、操作情報における入力操作の操作開始位置を判断しない。【選択図】図２
2014182587.tif 000002
【特許請求の範囲】
【請求項１】
タッチパネルを有する情報端末であって、
前記タッチパネルに対する入力操作に関する操作情報を取得する取得手段と、
前記取得手段により取得された前記操作情報における入力位置の移動方向及び移動量を判断する判断手段と、
前記判断手段により判断された入力位置の移動方向及び移動量に応じて、前記タッチパネルにおける操作の受付が可能な操作領域を、前記タッチパネルの画面に対して移動させる制御手段と、を含み、
前記判断手段は、前記操作情報における入力操作の操作開始位置を判断しない、
情報端末。
【請求項２】
前記制御手段は、アプリケーションにより設定された表示領域であって該アプリケーションから出力された表示内容を表示する表示領域を、前記操作領域と同様に前記タッチパネルの画面に対して移動させる、
請求項１に記載の情報端末。
【請求項３】
前記判断手段は、前記操作情報に基づき、前記タッチパネルに対する第１の所定操作に引き続きドラッグ操作が行われたこと並びに該ドラッグ操作における入力位置の移動方向及び移動量を判断し、
前記制御手段は、前記第１の所定操作に引き続き前記ドラッグ操作が行われた場合に、少なくとも前記操作領域を移動させる、
請求項１または２に記載の情報端末。
【請求項４】
前記制御手段は、前記判断手段により第２の所定操作がタッチパネルに対して行われたことが判断された場合、又は、当該情報端末が有するセンサにより所定の事象が検出された場合に、移動された前記操作領域を元の位置に戻す、
請求項１〜３のいずれか１項に記載の情報端末。
【請求項５】
前記制御手段は、タッチパネルの画面内の移動された前記操作領域以外の領域に、前記操作領域の移動状態を示す移動状態情報を表示させる、
請求項１〜４のいずれか１項に記載の情報端末。
【請求項６】
前記操作領域は、タッチパネルの画面の全部又は一部に対してアプリケーションにより設定される領域であって、アプリケーションに対する入力を受け付ける領域である、
請求項１〜５のいずれか１項に記載の情報端末。
【請求項７】
タッチパネルを有する情報端末における、前記タッチパネルにおける操作の受付が可能な操作領域を制御する操作領域制御方法であって、
前記タッチパネルに対する入力操作に関する操作情報を取得する取得ステップと、
前記取得ステップにおいて取得された前記操作情報における入力位置の移動方向及び移動量を判断する判断ステップと、
前記判断ステップにおいて判断された入力位置の移動方向及び移動量に応じて、前記操作領域を、前記タッチパネルの画面に対して移動させる制御ステップと、を有し、
前記判断ステップにおいて、前記操作情報における入力操作の操作開始位置を判断しない、
操作領域制御方法。
【請求項８】
タッチパネルを有する情報端末に、
前記タッチパネルに対する入力操作に関する操作情報を取得する取得機能と、
前記取得機能により取得された前記操作情報における入力位置の移動方向及び移動量を判断する判断機能と、
前記判断機能により判断された入力位置の移動方向及び移動量に応じて、前記タッチパネルにおける操作の受付が可能な操作領域を、前記タッチパネルの画面に対して移動させる制御機能と、を実現させ、
前記判断機能は、前記操作情報における入力操作の操作開始位置を判断しない、
操作領域制御プログラム。
【発明の詳細な説明】
【技術分野】
【０００１】
本発明は、情報端末、操作領域制御方法及び操作領域制御プログラムに関する。
【背景技術】
【０００２】
タッチパネルの機能を備えたディスプレイを有する情報端末が普及している。また、近年において、より多くの情報を表示するために、情報端末の画面が大型化している。このような情報端末において、ディスプレイに表示させるコンテンツの表示領域を移動させる技術が知られている（例えば、特許文献１参照）。また、ディスプレイの表示可能範囲より大きなサイズの文書画像を表示する技術として、画像化された文書画像のうち、表示領域内の部分が携帯電話の表示画面に表示され、タッチパネルに対するスクロール操作により、文書画像上の表示領域が移動する技術が知られている（例えば、特許文献２参照）。
【先行技術文献】
【特許文献】
【０００３】
【特許文献１】特開２０１２−６９００８号公報
【特許文献２】特開２０１２−９３８８８号公報
【発明の概要】
【発明が解決しようとする課題】
【０００４】
情報端末のユーザは、情報端末を一方の手で保持しながら、その手の指により種々の入力操作をする場合が多い。かかる態様での操作において、画面の大型化により、タッチパネルにおいて情報端末を保持した手の指が届かない部分が生じることがあり、操作性の悪化を招来していた。
【０００５】
そこで、本発明は、上記問題点に鑑みてなされたものであり、タッチパネルを有する情報端末において、良好な操作性を提供できる情報端末、操作領域制御方法及び操作領域制御プログラムを提供することを目的とする。
【課題を解決するための手段】
【０００６】
上記課題を解決するために、本発明の情報端末は、タッチパネルを有する情報端末であって、タッチパネルに対する入力操作に関する操作情報を取得する取得手段と、取得手段により取得された操作情報における入力位置の移動方向及び移動量を判断する判断手段と、判断手段により判断された入力位置の移動方向及び移動量に応じて、タッチパネルにおける操作の受付が可能な操作領域を、タッチパネルの画面に対して移動させる制御手段と、を含み、判断手段は、操作情報における入力操作の操作開始位置を判断しない。
【０００７】
また、上記課題を解決するために、本発明の操作領域制御方法は、タッチパネルを有する情報端末における、タッチパネルにおける操作の受付が可能な操作領域を制御する操作領域制御方法であって、タッチパネルに対する入力操作に関する操作情報を取得する取得ステップと、取得ステップにおいて取得された操作情報における入力位置の移動方向及び移動量を判断する判断ステップと、判断ステップにおいて判断された入力位置の移動方向及び移動量に応じて、操作領域を、タッチパネルの画面に対して移動させる制御ステップと、を有し、判断ステップにおいて、操作情報における入力操作の操作開始位置を判断しない。
【０００８】
また、上記課題を解決するために、本発明の操作領域制御プログラムは、タッチパネルを有する情報端末に、タッチパネルに対する入力操作に関する操作情報を取得する取得機能と、取得機能により取得された操作情報における入力位置の移動方向及び移動量を判断する判断機能と、判断機能により判断された入力位置の移動方向及び移動量に応じて、タッチパネルにおける操作の受付が可能な操作領域を、タッチパネルの画面に対して移動させる制御機能と、を実現させ、判断機能は、操作情報における入力操作の操作開始位置を判断しない。
【０００９】
本発明の情報端末、操作領域制御方法及び操作領域制御プログラムによれば、入力操作に関する操作情報に基づき、例えばドラッグ操作といった操作による入力位置の移動方向及び移動量が判断され、タッチパネルにおける操作の受付が可能な操作領域が、判断された移動方向及び移動量に応じてタッチパネルの画面に対して移動される。この移動制御では、入力操作の操作開始位置が判断されないので、ユーザは、この操作を、ディスプレイにおける指の届く範囲で実施できる。そして、このように操作領域が移動されることにより、操作領域において指が届かなかった部分を、指が届く領域に移動させることが可能となる。これにより、良好な操作性が実現する。
【００１０】
また、本発明の情報端末では、制御手段は、アプリケーションにより設定された表示領域であって該アプリケーションから出力された表示内容を表示する表示領域を、操作領域と同様にタッチパネルの画面に対して移動させる。
【００１１】
上記構成によれば、操作領域と表示領域とが一体となって構成されるＧＵＩにおいて、表示領域が操作領域と同様に移動されるので、ディスプレイにおける操作位置を適切にユーザに提示でき、良好な操作性が担保される。
【００１２】
また、本発明の情報端末では、判断手段は、操作情報に基づき、タッチパネルに対する第１の所定操作に引き続きドラッグ操作が行われたこと並びに該ドラッグ操作における入力位置の移動方向及び移動量を判断し、制御手段は、第１の所定操作に引き続きドラッグ操作が行われた場合に、少なくとも操作領域を移動させる。
【００１３】
上記構成によれば、第１の所定操作が行われたことが判断された場合に限り、ドラッグ操作に係る操作情報に基づき操作領域の移動が行われるので、操作領域を移動させるための操作と、ドラッグ操作による通常の入力操作との峻別が可能となる。これにより、操作領域の移動を適切に実施できる。
【００１４】
また、本発明の情報端末では、制御手段は、判断手段により第２の所定操作がタッチパネルに対して行われたことが判断された場合、又は、当該情報端末が有するセンサにより所定の事象が検出された場合に、移動された操作領域を元の位置に戻す。
【００１５】
上記構成によれば、第２の所定操作が実施されるまで、または所定の事象が検出されるまで、操作領域移動された状態が維持されるので、ユーザは所望の間だけ、移動された操作領域に対する操作を継続できるので、より良好な操作性が実現される。また、第２の所定操作等を実施することにより、操作領域が元の位置に戻されるので、必要に応じた操作領域の移動及び元の位置への復帰をさせることができる。
【００１６】
また、本発明の情報端末では、制御手段は、タッチパネルの画面内の移動された操作領域以外の領域に、操作領域の移動状態を示す移動状態情報を表示させる。
【００１７】
上記構成によれば、操作領域の移動状態をユーザに認識させることができるので、より良好な操作性が実現される。
【００１８】
また、本発明の情報端末では、操作領域は、タッチパネルの画面の全部又は一部に対してアプリケーションにより設定される領域であって、アプリケーションに対する入力を受け付ける領域である。
【００１９】
上記構成によれば、移動制御は、アプリケーションにより設定された操作領域が当該情報端末の制御により移動されることとなるので、アプリケーションは、操作領域のタッチパネルにおける位置の変更を認識する必要がない。従って、操作領域の移動を実現するためにアプリケーションのカスタマイズを要さない。
【発明の効果】
【００２０】
タッチパネルを有する情報端末において、良好な操作性を提供することが可能となる。
【図面の簡単な説明】
【００２１】
【図１】情報端末の構成を示す模式図である。
【図２】情報端末の機能的構成を示すブロック図である。
【図３】情報端末のハードブロック図である。
【図４】操作領域の移動のための操作及び移動の例を模式的に示す図である。
【図５】移動された操作領域を元の位置に戻すための操作及び移動の例を模式的に示す図である。
【図６】操作領域及び表示領域の移動を示す図である。
【図７】操作領域の移動状態を示すサムネイルの表示の例を示す図である。
【図８】操作領域制御方法の処理内容を示すフローチャートである。
【図９】操作領域制御プログラムの構成を示す図である。
【発明を実施するための形態】
【００２２】
本発明に係る情報端末、操作領域制御方法及び操作領域制御プログラムの実施形態について図面を参照して説明する。なお、可能な場合には、同一の部分には同一の符号を付して、重複する説明を省略する。
【００２３】
図１は、情報端末の構成を示す模式図である。図１（ａ）に示すように、情報端末１は、例えば、スマートフォンといった端末装置であって、タッチパネルＴを有する。また、情報端末１は、図１（ｂ）に示すように、入力受付部２１及び機能部Ｃを含む。入力受付部２１は、例えば、静電センサといった装置により構成され、タッチパネルＴに対する入力操作が行われた位置を示す座標情報を取得できる。機能部Ｃは、情報端末１における各種機能を実現するためのものであり、例えば、アプリケーションプログラムがロードされたＣＰＵといった装置により実現される。
【００２４】
図２は、情報端末１の機能的構成を示すブロック図である。図２に示すように、情報端末１は、機能的には、取得部１１（取得手段）、判断部１２（判断手段）及び制御部１３（制御手段）を備える。また、情報端末１は、タッチパネルＴにより構成される入力受付部２１及び表示部２２を含む。入力受付部２１は、前述のとおり、タッチパネルＴに対する入力操作が行われた位置を示す座標情報を取得でき、座標情報を含む操作情報を生成できる。表示部２２は、各種のテキスト及び画像等を表示する部分であって、本実施形態では、例えば、制御部１３の制御により各種画像等を表示する。
【００２５】
図３は、情報端末１のハードウエア構成図である。情報端末１は、物理的には、図３に示すように、ＣＰＵ１０１、主記憶装置であるＲＡＭ１０２及びＲＯＭ１０３、データ送受信デバイスである通信モジュール１０４、ハードディスク、フラッシュメモリ等に例示される補助記憶装置１０５、入力デバイスであるタッチパネル及びキーボード等に例示される入力装置１０６、ディスプレイ等の出力装置１０７などを含むコンピュータシステムとして構成されている。図２に示した各機能は、図３に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。再び、図２を参照し、情報端末１の各機能部について詳細に説明する。
【００２６】
取得部１１は、タッチパネルＴに対する入力操作に関する操作情報を取得する部分である。具体的には、入力受付部２１が、ユーザによるタッチパネルＴに対する入力操作における入力位置の複数の座標情報を取得し、取得部１１は、入力受付部２１により取得された複数の入力位置の座標情報を取得する。
【００２７】
判断部１２は、取得部１１により取得された操作情報における入力位置の移動方向及び移動量を判断する部分である。具体的には、判断部１２は、ユーザによりタッチパネルＴに対してドラッグ操作が行われると、操作情報に含まれる複数の座標情報に示される位置の軌跡に基づき、ユーザの入力操作に係る入力位置の移動方向及び移動量を判断する。この判断において、判断部１２は、入力操作の捜査開始位置を判断しない。従って、ユーザは、本実施形態の操作領域の移動制御のための入力操作を、タッチパネルＴにおける指の届く範囲で実施できる。
【００２８】
制御部１３は、判断部１２により判断された入力位置の移動方向及び移動量に応じて、タッチパネルにおける操作の受付が可能な操作領域を、タッチパネルの画面に対して移動させる部分である。即ち、制御部１３は、例えば、タッチパネルに対するドラッグ操作に基づき取得及び判断された入力位置の移動方向及び移動量に応じて、タッチパネルの画面の全部又は一部に設定された操作領域を、タッチパネルに対してオフセットさせることができる。
【００２９】
操作領域は、例えば、タッチパネルの画面の全部又は一部に対してアプリケーションＡＰにより設定される領域であって、アプリケーションＡＰに対する入力を受け付ける領域である。制御部１３は、アプリケーションＡＰから出力された表示内容を表示部２２に表示する制御を行うと共に、入力受付部２１により受け付けられた入力操作に関する情報をアプリケーションＡＰに認識させる制御を行う。本実施形態の情報端末１では、アプリケーションの機能及び制御とは別個に、制御部１３が操作領域の移動を制御するので、アプリケーションＡＰは、操作領域の移動を認識する必要がない。従って、本実施形態における操作領域の移動を実現するために、アプリケーションのカスタマイズを行う必要がない。
【００３０】
また、制御部１３は、アプリケーションＡＰにより設定された表示領域であって当該アプリケーションから出力された表示内容を表示する表示領域を、操作領域と同様にタッチパネルの画面に対して移動させる。このように表示領域を移動させることにより、操作領域と表示領域とが一体となって構成されるＧＵＩにおいて、タッチパネルＴにおける操作位置を適切にユーザに提示でき、良好な操作性が担保される。
【００３１】
また、制御部１３は、第１の所定操作に引き続きドラッグ操作が行われた場合に、少なくとも操作領域を移動させることとしてもよい。即ち、判断部１２が、操作情報に基づき、タッチパネルに対する第１の所定操作に引き続きドラッグ操作が行われたことを判断した場合に、制御部１３は、判断部１２により判断された該ドラッグ操作における入力位置の移動方向及び移動量に基づき、操作領域等を移動させる。第１の所定操作は、例えば、タッチパネルＴに対する任意の位置の長押しである。また、第１の所定操作は、タッチパネルＴの画面領域外から、タッチパネルＴの四辺のいずれかを横切り、タッチパネルＴの画面内に至るように軌跡が描かれるドラッグ操作であってもよい。
【００３２】
次に、図４を参照して、操作領域の移動制御の例を具体的に説明する。図４は、操作領域の移動のための操作及び移動の例を模式的に示す図である。まず、図４（ａ）は、タッチパネルＴの画面の全体に操作領域Ｒが設定されている状態を示す。このようなタッチパネルＴに対して、図４（ｂ）に示すように、符号Ｐ１に示されるように長押しの操作が行われ、引き続き符号Ｄ１に示されるようにドラッグ操作が行われると、取得部１１は、符号Ｐ１及び符号Ｄ１に表される入力操作に関する操作情報を取得する。
【００３３】
続いて、判断部１２は、操作情報に基づき、第１の所定操作としての長押しの操作が行われ、かかる操作に引き続きドラッグ操作が行われたことを判断する。そして、制御部１３は、第１の所定操作の引き続き行われた、符号Ｄ１に示されるドラッグ操作における入力位置の移動方向及び移動量に基づき、操作領域Ｒを移動させる。図４（ｂ）に示す例では、符号Ｄ１に示されるドラッグ操作は、タッチパネルＴにおける下方向に向かって行われているので、制御部１３は、操作領域Ｒ１に示されるように、操作領域Ｒを、タッチパネルＴにおける下方向に、移動量に応じた距離だけ移動させる。
【００３４】
また、図４（ｃ）に示す例では、符号Ｐ２に示されるように長押しの操作が行われ、引き続き符号Ｄ２に示されるようにドラッグ操作が行われると、取得部１１は、符号Ｐ２及び符号Ｄ２に表される入力操作に関する操作情報を取得する。
【００３５】
続いて、判断部１２が、操作情報に基づき、第１の所定操作としての長押しの操作が行われ、かかる操作に引き続きドラッグ操作が行われたことを判断すると、制御部１３は、第１の所定操作の引き続き行われた、符号Ｄ２に示されるドラッグ操作における入力位置の移動方向及び移動量に基づき、操作領域Ｒを移動させる。図４（ｃ）に示す例では、符号Ｄ２に示されるドラッグ操作は、タッチパネルＴにおける左下方向に向かって行われているので、制御部１３は、操作領域Ｒ２に示されるように、操作領域Ｒを、タッチパネルＴにおける左下方向に、移動量に応じた距離だけ移動させる。
【００３６】
次に、移動された操作領域を元の位置に戻す制御について説明する。制御部１３は、判断部１２により第２の所定操作がタッチパネルに対して行われたことが判断された場合、又は、当該情報端末１が有するセンサにより所定の事象が検出された場合に、移動された操作領域を元の位置に戻す。図５は、移動された操作領域を元の位置に戻すための操作及び移動の例を模式的に示す図である。
【００３７】
第２の所定操作は、例えば、タッチパネルＴにおける移動された操作領域内の任意の位置の長押し及び引き続く所定方向（例えば、上方向）に向かうフリック操作である。図５（ａ）に示すように、符号Ｐ３に示されるように移動された操作領域Ｒ３内において長押しの操作が行われ、引き続き符号Ｆ３に示されるようにフリック操作が行われたことが判断部１２により判断されると、制御部１３は、操作領域Ｒ４に示されるように、移動された操作領域Ｒ３を、元の位置に戻す。
【００３８】
また、第２の所定操作は、タッチパネルＴにおける移動された操作領域外の位置におけるタップ操作であってもよい。図５（ｂ）に示すように、符号Ｐ４に示されるように、移動された操作領域Ｒ５外においてタップ操作が行われたことが判断部１２により判断されると、制御部１３は、操作領域Ｒ６に示されるように、移動された操作領域Ｒ５を、元の位置に戻す。
【００３９】
また、情報端末１が加速度センサを有する場合に、加速度センサが、ユーザによる情報端末１を振る操作を検出した場合に、制御部１３は、移動された操作領域を元の位置に戻すこととしてもよい。
【００４０】
次に図６を参照して、操作領域及び表示領域の移動の具体例を説明する。図６（ａ）は、操作領域等が移動される前のタッチパネルＴの画面例を示す図である。ユーザが情報端末１を左手により保持した状態では、例えば「設定」といったアイコンを左手の指で操作することは困難である。そこで、上述したような操作及び制御により、図６（ｂ）に示すように、操作領域及び表示領域を移動させると、左手の指により「設定」のアイコンを操作することが可能になる。そして、操作領域及び表示領域を元の位置に戻す所定操作を行うことにより、図６（ｃ）に示すように、操作領域及び表示領域が元の位置に戻される。
【００４１】
さらに、制御部１３は、操作領域等の移動の状態をユーザに認識させるために、タッチパネルＴの画面内の、移動された操作領域以外の領域に、操作領域の移動状態を示す移動状態情報を表示させることとしてもよい。図７は、操作領域の移動状態を示すサムネイルの表示の例を示す図である。図７に示すように、制御部１３は、操作領域の移動状態を示すサムネイルＲＺを、移動された操作領域及び表示領域以外の領域に表示する。サムネイルＲＺは、操作領域等の全体を示す矩形アイコンＲＹ及びタッチパネルＴに表示されている操作領域等を示す矩形アイコンＲＸを含み、アイコンＲＹに対するアイコンＲＸの相対的な位置及び大きさにより、操作領域等の移動状態を示す。
【００４２】
次に、図８を参照して、情報端末１における操作領域制御方法について説明する。図８は、操作領域制御方法の処理内容を示すフローチャートである。
【００４３】
まず、情報端末１は、ユーザによるタッチパネルＴに対する入力操作が行われたか否かを判定する（Ｓ１）。入力操作が行われたと判定された場合には、処理手順はステップＳ２に進められる。一方、入力操作が行われたと判定されなかった場合には、処理手順はステップＳ１に戻り、入力操作が行われたことが検出されるまでステップ１の処理が繰り返される。
【００４４】
ステップ２において、取得部１１は、タッチパネルＴに対する入力操作に関する操作情報を取得する（Ｓ２）。続いて、判断部１２は、操作情報に基づき、操作領域の移動を指示するための第１の所定操作が行われたか否かを判断する（Ｓ３）。第１の所定操作が行われたと判断された場合には、処理手順はステップＳ４に進められる。一方、第１の所定操作が行われたと判断されなかった場合には、処理手順はステップＳ６に進められる。
【００４５】
ステップＳ４において、判断部１２は、第１の所定操作の引き続き行われたドラッグ操作における入力位置の移動方向及び移動量を判断する（Ｓ４）。そして、制御部１３は、ドラッグ操作における入力位置の移動方向及び移動量に基づき、操作領域を移動させる（Ｓ５）。
【００４６】
ステップＳ６において、制御部１３は、操作領域等が既に移動されていて、且つ、操作領域を元の位置に戻すことを指示するための第２の所定操作が行われたか否かを判断する（Ｓ６）。第２の所定操作が行われたと判断された場合には、処理手順はステップＳ７に進められる。一方、第２の所定操作が行われたと判断されなかった場合には、処理手順はステップＳ１に戻る。
【００４７】
ステップＳ７において、制御部１３は、タッチパネルＴにおいて移動された操作領域等を元の位置に戻す（Ｓ７）。
【００４８】
次に、コンピュータを、本実施形態の情報端末１として機能させるための操作領域制御プログラムについて説明する。図９は、操作領域制御プログラム１ｍの構成を示す図である。
【００４９】
操作領域制御プログラム１ｍは、操作領域制御処理を統括的に制御するメインモジュール１０ｍ、取得モジュール１１ｍ、判断モジュール１２ｍ及び制御モジュール１３ｍを備えて構成される。そして、各モジュール１１ｍ〜１３ｍにより、情報端末１における各機能部１１〜１３のための各機能が実現される。なお、操作領域制御プログラム１ｍは、通信回線等の伝送媒体を介して伝送される態様であってもよいし、図９に示されるように、記録媒体１ｄのプログラム格納領域１ｒに記憶される態様であってもよい。
【００５０】
以上説明した本実施形態の情報端末１、操作領域制御方法及び操作領域制御プログラム１ｍでは、入力操作に関する操作情報に基づき、例えばドラッグ操作といった操作による入力位置の移動方向及び移動量が判断され、タッチパネルにおける操作の受付が可能な操作領域が、判断された移動方向及び移動量に応じてタッチパネルの画面に対して移動される。この移動制御では、入力操作の操作開始位置が判断されないので、ユーザは、この操作を、ディスプレイにおける指の届く範囲で実施できる。そして、このように操作領域が移動されることにより、操作領域において指が届かなかった部分を、指が届く領域に移動させることが可能となる。これにより、良好な操作性が実現する。
【００５１】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００５２】
１…情報端末、１１…取得部、１２…判断部、１３…制御部、１ｄ…記録媒体、１ｍ…操作領域制御プログラム、１０ｍ…メインモジュール、１１ｍ…取得モジュール、１２ｍ…判断モジュール、１３ｍ…制御モジュール、２１…入力受付部、２２…表示部、ＡＰ…アプリケーション、Ｒ，Ｒ１，Ｒ２，Ｒ３，Ｒ４，Ｒ５，Ｒ６…操作領域、ＲＺ…サムネイル、Ｔ…タッチパネル。
【図１】
2014182587.tif 000003
【図２】
2014182587.tif 000004
【図３】
2014182587.tif 000005
【図４】
2014182587.tif 000006
【図５】
2014182587.tif 000007
【図６】
2014182587.tif 000008
【図７】
2014182587.tif 000009
【図８】
2014182587.tif 000010
【図９】
2014182587.tif 000011